(57)【特許請求の範囲】
【請求項１】
一面が開口し化粧料を充填可能な容器本体と、
前記容器本体の一端に回動可能に軸支された連結部材と、
前記容器本体の開口部を封鎖しうる蓋体とからなり、
前記連結部材は、摺動板及び前記摺動板と一体の連結ヒンジ部により構成され、
前記連結部材の前記摺動板が前記蓋体のスライド溝に嵌入することで、
前記連結部材が、前記蓋体の前記容器本体側の面に沿うように、前記蓋体に対して摺動可能に取り付けられていることを特徴とするディスプレー用コンパクト容器。
【請求項２】
前記連結部材は前記容器本体に弾性ピンによって軸支されていることを特徴とする請求項１記載のディスプレー用コンパクト容器。
【請求項３】
前記蓋体の内面には前記連結部材の移動を規制する規制手段が設けられていることを特徴とする請求項１又は請求項２記載のディスプレー用コンパクト容器。
【発明の詳細な説明】
【０００１】
【発明の属する技術分野】
本発明は、蓋体と容器本体とをヒンジ部材を介して連結したコンパクト容器であって、特に容器本体の裏側に蓋体の内面を重ねることにより容器本体の内部を露出させて展示することができるディスプレー用コンパクト容器に関するものである。
【０００２】
【従来の技術】
ディスプレー用コンパクト容器は内容物である化粧料を拭い取って使用する必要があるため、一般に大きく開口した平面的な容器本体に蓋体を合わせて構成される。多くの場合容器本体と蓋体とは一端にて回動可能に軸支され、蓋体の内面に鏡を貼着して使用の際の利用に供している。
【０００３】
近年店頭に於いてコンパクト容器を陳列する場合に、コンパクト容器の蓋を開いた状態で透明な展示用パッケージに収め、容器内の化粧料の色を実際に購入者に見せることが好まれている。しかし容器の蓋を開いた場合蓋体の解放角度に限界があり、一般には１８０度程度までしか開かないために、蓋を閉じた状態の倍の大きさとなってしまう。このため陳列のための面積も倍必要となり、限られた面積に対し不利である。
【０００４】
一方従来から、開いた蓋体が容器本体の裏側に収納されるよう構成したディスプレー用のコンパクト容器が提案されている。図４を用いて従来のコンパクト容器の例について説明する。
【０００５】
図に示すように、容器本体50には図示しないコンパクトを充填する充填部50ａが設けられ、またブラシ50ｂ等が取り付けられている。この容器本体50の側面には、円柱状の突起であるボス部50ｃが設けられている。
【０００６】
これに対し蓋体51の内側面にはボス部50ｃに対応してスライド溝51ａが設けられている。したがって容器本体を閉じていた蓋体51は、ボス部50ｃがスライド溝51ａの一端に位置した状態で回動することができ、また略１８０度に開いた後にボス部50ｃをスライド溝51ａに摺動させることにより鏡51ｂを容器本体の裏面側に沿わせて収納することが可能である。
【０００７】
【発明が解決しようとする課題】
上記の如く構成されたコンパクト容器に於いては、ボス部50ｃがスライド溝51ａを滑らかに摺動する必要があるために、ある程度の遊びを有して係合されていなくてはならない。また、回転支軸ともなるボス部50ｃはスライド溝51ａを摺動することによって摩耗するため、ボス部50ｃとスライド溝51ａとの係合は使用に伴って一層緩くなってしまう。
【０００８】
しかし蓋体51は内面に貼着された鏡51ｂを利用するために任意の角度にて回転を停止しうることが好ましい。このためには容器本体50と蓋体51とを接続する回転支軸はある程度の回転抵抗を有している必要があり、これらを共に満たすことは困難である。
【０００９】
上記課題を鑑みて、本発明は、蓋体を容器背面に収納しうると共に、蓋体を容器本体に対し任意の角度で停止しうるディスプレー用コンパクト容器を提供することを目的としている。
【００１０】
【課題を解決するための手段】
上記課題を解決するために、本発明に係るディスプレー用コンパクト容器の代表的な構成は、一面が開口し化粧料を充填可能な容器本体と、前記容器本体の一端に回動可能に軸支された連結部材と、前記容器本体の開口部を封鎖しうる蓋体とからなり、前記連結部材は、摺動板及び前記摺動板と一体の連結ヒンジ部により構成され、前記連結部材の前記摺動板が前記蓋体のスライド溝に嵌入することで、前記連結部材が、前記蓋体の前記容器本体側の面に沿うように、前記蓋体に対して摺動可能に取り付けられていることを特徴とするディスプレー用コンパクト容器。
【００１１】
【発明の実施の形態】
本発明に係るディスプレー用コンパクト容器の実施形態を図を用いて説明する。図１は本発明に係るコンパクト容器の分解構成図、図２はコンパクト容器の動作を説明する側面図、図３はコンパクト容器を陳列の為展示用パッケージに収めた状態を説明する図である。
【００１２】
図１に示すコンパクト容器は、容器本体１、蓋体２、及びこれらを連結する連結部材３とから構成されている。容器本体１には化粧料５を充填される充填部１ａが設けられており、一面に大きく開口している。また容器本体１の一端には本体ヒンジ部１ｂが設けられ、これと対向する側の辺に係合部１ｃが設けられている。
【００１３】
蓋体２は内側に鏡６を貼着し、一端に容器本体１の係合部１ｃと係合する係止部２ａを有している。また蓋体２の両側面の内側にはスライド溝２ｂが設けられており、連結部材３を嵌入し得るよう構成されている。
【００１４】
連結部材３は、連結ヒンジ部３ａと摺動板３ｂとから構成されており、この連結ヒンジ部３ａと本体ヒンジ部１ｂとがスプリングピン４によって連結されている。これにより連結部材３は容器本体１に所定の抵抗を有して回転可能に軸支されている。
【００１５】
連結部材３の摺動板３ｂは蓋体２の幅と略等しく形成されており、その両端を蓋体２のスライド溝２ｂに嵌入して摺動することが可能である。一方蓋体２の内面には連結部材３の移動を規制する規制手段２ｃが設けられており、所定の力を加えるまで連結部材３がスライド溝２ｂを移動しないよう構成されている。
【００１６】
したがって連結部材３は蓋体２の一端において規制手段２ｃによって位置を固定され、スプリングピン４によって回動する。これによって蓋体２も容器本体１に対して回動し、係止部２ａを係合部１ｃに噛合させることによって容器本体１に固定される。
【００１７】
また、蓋体２を開いた状態においては所定の力を加えることにより蓋体２を連結部材３に対してスライドさせることができ、図２（ａ）に示すように容器本体１の裏側に蓋体２の内面を対向させて位置させることができる。
【００１８】
次に、上記の如く構成したコンパクト容器の動作について説明する。コンパクト容器は、図２（ａ）に示すように蓋体２を容器本体１の背面に収納した状態で、図３に示すように透明な展示用パッケージ７に収めて販売することにより、購買者が化粧料５の色を実際に見ながら選ぶことができる。また、蓋を閉じた状態と同程度の占有面積としていることにより、陳列のための面積を最小限に抑えることができる。
【００１９】
係る形態にて販売されているコンパクト容器は、まず蓋体２をスライドさせ、図２（ｂ）に示すように容器本体１の背面から引き出す。そして所定以上の力を加えることにより摺動板３ｂが既成手段２ｃを乗り越えて、図２（ｃ）に示すように蓋体２の連結部材３に対する移動が規制される。
【００２０】
この状態において蓋体２を１８０度回転させることにより、図２（ｄ）に示すように容器本体１に対して蓋体２を閉じることができる。通常の使用に際しては、図２（ｃ）、（ｄ）に示すように蓋体２を開閉させて使用する。
【００２１】
ここで、容器本体１と連結部材３との連結ヒンジ部３ａがスプリングピン４にて軸支されていることにより、回転に対して摩擦抵抗を有するため、蓋体２が容器本体１に対して任意の角度にて停止する、いわゆるフリーストップ機能を設けることができる。
【００２２】
また、回転軸であるスプリングピン４と摺動板３ｂを別途設けたことにより、摺動板３ｂはスライド溝２ｂに対して遊びを設けることができ、滑らかに摺動しうるよう構成することができる。同様に摺動による摩擦によって回転軸が磨耗することがないため、該回転軸の摩擦抵抗を失う虞がない。
【００２３】
【発明の効果】
上記説明した如く、本発明に係るコンパクト容器に於いては、容器本体と連結部材とを回転可能に連結すると共に該連結部材と蓋体とを摺動可能に接続したことにより、それぞれの連結方法に求められる機能を満たすことができる。すなわち容器本体と連結部材の回転軸に於いては所定の回転抵抗を設けて任意の角度にて停止し得るよう構成し、また連結部材と蓋体との摺動機構に於いては遊びを設けて滑らかに摺動し得るよう構成することができる。
【００２４】
また蓋体の摺動によって蓋体の回転軸が摩耗することなく、可動部分の耐久性に優れた容器とすることができる。
【図面の簡単な説明】
【図１】本実施形態に係るコンパクト容器の分解構成図である。
【図２】コンパクト容器の動作を説明する側面図である。
【図３】コンパクト容器を陳列の為展示用パッケージに収めた状態を説明する図である。
【図４】従来例にかかるコンパクト容器の説明図である。
【符号の説明】
１    …容器本体
１ａ  …充填部
１ｂ  …本体ヒンジ部
１ｃ  …係合部
２    …蓋体
２ａ  …係止部
２ｂ  …スライド溝
２ｃ  …規制手段
３    …連結部材
３ａ  …連結ヒンジ部
３ｂ  …摺動板
４    …スプリングピン
５    …化粧料
６    …鏡
７    …展示用パッケージ
【図１】
0004091681.tif 000002
【図２】
0004091681.tif 000003
【図３】
0004091681.tif 000004
【図４】
0004091681.tif 000005